(57)【特許請求の範囲】
【請求項１】
難透水性地盤内へ達し又は貫通する所要数の給水用井戸を掘削すると共にこの給水用井戸に第一の電極体としての鉄管を挿入し、前記難透水性地盤内へ達し又は貫通する所要数の第二の電極体を前記給水用井戸との間に前記難透水性地盤内の汚染領域が存在するように挿入し、前記給水用井戸における前記難透水性地盤内に位置する部分を密閉し、汚染物質分解剤又は汚染物質分解促進剤を含有させた水を地上の水槽に貯留した状態で前記鉄管を介して前記給水用井戸における密閉された空間へ充填すると共に、前記鉄管を直流電源の陽極側に接続し、前記第二の電極体を直流電源の陰極側に接続して両電極間に直流電圧を印加することによって、前記難透水性地盤内の水を強制流動させることを特徴とする難透水性地盤の浄化方法。
【請求項２】
鉄管が挿入される給水用井戸及び第二の電極体のうちの一方を、汚染領域へ達し又は貫通するように設け、他方を、前記汚染領域の周囲を取り囲むように設けることを特徴とする請求項１に記載の難透水性地盤の浄化方法。
【請求項３】
汚染物質分解剤は、鉄コロイド、過マンガン酸カリウム及び安定化二酸化塩素から選択されるＶＯＣ分解剤であることを特徴とする請求項１に記載の難透水性地盤の浄化方法。
【請求項４】
汚染物質分解促進剤は、エタノール、メタノール及び廃糖蜜から選択されるＶＯＣ分解促進剤であることを特徴とする請求項１に記載の難透水性地盤の浄化方法。
【発明の詳細な説明】
【０００１】
【発明の属する技術分野】
本発明は、汚染地盤の浄化方法に関するものであり、特に、透水係数の低い難透水地盤の浄化に有効な方法を提供するものである。
【０００２】
【従来の技術】
地盤の汚染は、地中に混入した廃棄物等の汚染源から溶出した汚染物質が地下水に拡散することによって生じる。そして、透水係数が１０−２〜１０−４cm/秒程度の、比較的地下水の流速が早い砂質土からなる易透水性地盤の浄化方法としては、汚染源の周囲に所要数の井戸を掘削して、汚染された地下水をポンプで汲み上げる方法が有効である。また、土の透水係数はシルト分や粘土分が多いほど小さくなって地下水流が極めて緩慢となるため、汚染源がこのような難透水性地盤にある場合は、汚染源及びその周辺地盤を掘削撤去して良質土により埋め戻すといった置換法が採用されている。
【０００３】
ところで近年は、従来不透水層と考えられていた、深度の深いところにある沖積粘土層又は洪積粘土層からなる地層（例えば深度が１０ｍ程度、透水係数が１０−４〜１０−５cm/秒程度）でも、トリクロロエチレンやテトラクロロエチレンのようなＶＯＣ（有機塩素化合物）等による汚染が確認されるようになり、また、このような難透水性地盤を貫通した汚染分布の存在も把握されている。これは、トリクロロエチレン等、ＶＯＣは比重が大きいため、地表付近から入り込んでも深層の難透水性地盤まで徐々に地中を落下するからであると考えられ、このため、表層付近の易透水性地盤よりも、深層の難透水性地盤に、濃度の高い汚染領域が存在することがある。
【０００４】
ところが、このような難透水性地盤は、上述のように、地下水流が極めて緩慢であるため、地下水の汲み上げによる方法では、汲み上げられる地下水の殆どは砂質土の地盤からのものであるため、難透水性地盤中の汚染物質を除去することは事実上困難である。
【０００５】
また、汚染源及びその周辺地盤を掘削撤去して良質土により埋め戻す方法は、汚染領域が地中の比較的浅い位置にある場合には有効な手段であるが、深い位置にある場合はこのような工法の採用は現実的ではない。つまり、汚染領域が深いほど、これを掘削するには、掘削量が膨大なものとなるだけでなく、浄化対象ではない地盤区域の掘削量が多く、極めて効率が悪いからである。したがって、地下水の汲み上げや置換といった従来工法だけでは、上述のような難透水性地盤に吸着しているＶＯＣの除去には十分に対応することができず、難透水性地盤に対する有効な汚染浄化技術が求められている。
【０００６】
【発明が解決しようとする課題】
本発明は、上記のような問題に鑑みてなされたもので、その技術的課題は、地下水汲み上げや置換法では十分に対応できない深層の難透水性地盤の汚染修復に有効な汚染浄化技術を提供することにある。
【０００７】
【課題を解決するための手段】
上述した技術的課題は、本発明によって有効に解決することができる。
すなわち請求項１の発明に係る難透水性地盤の浄化方法は、難透水性地盤内へ達し又は貫通する所要数の給水用井戸を掘削すると共にこの給水用井戸に第一の電極体としての鉄管を挿入し、前記難透水性地盤内へ達し又は貫通する所要数の第二の電極体を前記給水用井戸との間に前記難透水性地盤内の汚染領域が存在するように挿入し、前記給水用井戸における前記難透水性地盤内に位置する部分を密閉し、汚染物質分解剤又は汚染物質分解促進剤を含有させた水を地上の水槽に貯留した状態で前記鉄管を介して前記給水用井戸における密閉された空間へ充填すると共に、前記鉄管を直流電源の陽極側に接続し、前記第二の電極体を直流電源の陰極側に接続して両電極間に直流電圧を印加することによって、前記難透水性地盤内の水を強制流動させるものである。
【００１０】
請求項２の発明に係る難透水性地盤の浄化方法は、請求項１における一層好ましい方法として、鉄管が挿入される給水用井戸及び第二の電極体のうちの一方を、汚染領域へ達し又は貫通するように設け、他方を、前記汚染領域の周囲を取り囲むように設ける。
【００１１】
請求項３の発明に係る難透水性地盤の浄化方法は、請求項１の発明において、汚染物質分解剤が、鉄コロイド、過マンガン酸カリウム及び安定化二酸化塩素から選択されるＶＯＣ分解剤からなるものである。このＶＯＣ分解剤は、還元的脱塩素反応によって、ＶＯＣ（有機塩素化合物）を直接分解するものである。
【００１２】
請求項４の発明に係る難透水性地盤の浄化方法は、請求項１の発明において、汚染物質分解促進剤が、エタノール、メタノール及び廃糖蜜から選択されるＶＯＣ分解促進剤からなるものである。このＶＯＣ分解促進剤は、ＶＯＣを分解する能力を有する微生物の活動を活発にし、これによって、微生物によるＶＯＣの分解を促すものである。
【００１３】
なお、本書で言う難透水性地盤とは、透水係数が１０−４〜１０−５cm/秒程度の地盤である。
【００１４】
【発明の実施の形態】
図１は、本発明に係る難透水性地盤の浄化方法の好ましい実施の形態を示す地盤の鉛直断面図、図２は本形態における給水用井戸及び鉄管と鉄棒の平面配置を示す図で、図１における参照符号Ｇ１は表層近くにある透水性の比較的高い（例えば１０−４cm/秒程度以上）砂質土等からなる易透水性地盤、参照符号Ｇ２は、この易透水性地盤Ｇ１より下層の、例えば深度が１０ｍ程度の深い層にあって、沖積粘土層又は洪積粘土層からなる難透水性地盤、参照符号Ａは、この難透水性地盤Ｇ２における汚染領域である。
【００２０】
本形態においては、まず地表から、難透水性地盤Ｇ２における汚染領域Ａへ向けて給水用井戸５を掘削し、この給水用井戸５には第一の電極体としての鉄管６を挿入して、その周囲を砂あるいはれき７等で埋め、この鉄管６の外周と給水用井戸５の内壁との間を、易透水性地盤Ｇ１と難透水性地盤Ｇ２との境界の深さにシール材４を充填することによって密封する。なお、鉄管６は、シール材４で密封される高さよりも下の部分に多数の小孔を開設したものが好ましい。給水用井戸５におけるシール材４で密閉された空間４ａには、鉄管６を介して、鉄コロイド、過マンガン酸カリウム及び安定化二酸化塩素から選択されるＶＯＣ分解剤や、あるいはエタノール、メタノール及び廃糖蜜から選択されるＶＯＣ分解促進剤を添加した水Ｗを充填する。
【００２１】
一方、難透水性地盤Ｇ２における汚染領域Ａの周囲には、この汚染領域Ａを取り囲むように、第二の電極体としての複数の鉄棒８を挿入する。鉄管６及び鉄棒８は、導線９を介して直流電源Ｖに電気的に接続する。この場合、鉄管６は直流電源Ｖにおける陽極に、各鉄棒８は直流電源Ｖにおける陰極に接続する。
【００２２】
なお、鉄管６は、シール材４で密封される高さよりも下の部分、すなわち難透水性地盤Ｇ２内に挿入される部分に多数の小孔を開設したものが好ましい。また、鉄管６及び鉄棒８は、易透水性地盤Ｇ１内の高さとなる部分を、予め電気絶縁性の合成樹脂チューブなどで被覆しておくことによって、この鉄管６と鉄棒８の間で、電流が易透水性地盤Ｇ１内を短絡しないようにする。
【００２３】
この状態で、直流電源Ｖを駆動させ、給水用井戸５内の鉄管６とその周囲の鉄棒８に直流電圧を印加すると、難透水性地盤Ｇ２内には、陽極となる鉄管６（給水用井戸５）側から陰極となる鉄棒８側へ向けて、電気浸透現象による地下水流ＷＦが惹起され、すなわち難透水性地盤Ｇ２内の地下水が強制的に移動される。そして、これに伴い、給水用井戸５内のＶＯＣ分解剤又はＶＯＣ分解促進剤を添加した水Ｗが、難透水性地盤Ｇ２の汚染領域Ａ内からその周囲へ向けて浸透していく。
【００２４】
鉄管６及び鉄棒８の表面のうち、易透水性地盤Ｇ１内にある部分は絶縁されているので、電流が易透水性地盤Ｇ１を介して短絡することはなく、難透水性地盤Ｇ２での電気浸透による強制地下水流ＷＦが確実に惹起される。また、各鉄棒８は、鉄管６を中心とする円筒面に沿って挿入すれば、鉄管６と各鉄棒８との距離が等しくなるため、鉄管６と各鉄棒８との間の電流、ひいてはこれによる地下水流ＷＦもほぼ均一になる。
【００２５】
したがって、ＶＯＣ分解剤を含有する水Ｗを用いた場合は、例えばＶＯＣ分解剤としての鉄コロイドは、その平均粒径がφ０．５μｍであり、土粒子間の空隙がこれより大きい場合に使用することができる。そして、このようなＶＯＣ分解剤は、難透水性地盤Ｇ２の汚染領域Ａの土粒子間隙を通過する過程で、土粒子等に吸着したトリクロロエチレンやテトラクロロエチレン等のＶＯＣ汚染物質を、還元的脱塩素反応により分解し、これによって汚染の浄化が行われる。また、ＶＯＣ分解促進剤を含有する水Ｗを用いた場合、このＶＯＣ分解促進剤は、難透水性地盤Ｇ２の汚染領域Ａの土粒子間隙を通過する過程で、地中に存在する分解微生物（有機塩素化合物に対する分解能を有する微生物）の分解活性や増殖を促す。このため、微生物を利用した間接的なＶＯＣの分解を促し、これによって汚染の浄化が行われる。
【００２６】
なお、本形態においては、電気浸透現象による地下水流ＷＦが、汚染領域Ａからその周囲へ向けて生じるものとしたが、ＶＯＣの地中拡散が問題となるような場合は、図１及び図２とは逆に、給水用井戸５を、汚染領域Ａを取り囲むように掘削して、直流電源Ｖの陽極に接続される鉄管６を挿入し、陰極に接続される鉄棒８を、難透水性地盤Ｇ２における汚染領域Ａ内へ挿入する。このようにすれば、電気浸透現象による地下水流ＷＦが汚染領域Ａの周囲から収束する方向に惹起されるので、ＶＯＣの地中拡散を防止しつつその浄化を行うことができる。
【００２７】
また、上述した実施の形態においては、難透水性地盤Ｇ２が深度の深いところにあるものとして説明したが、本発明の方法は、難透水性地盤Ｇ２の汚染領域Ａの深さに関係なく適用可能であることは勿論である。また、本発明は、上述の形態のように、地下水の浸透速度が極めて緩慢なために地下水の汲み上げによる地下水流にのみ依存した汚染浄化が期待できない難透水性地盤の汚染修復手段として特に有効であるが、砂質土や砂質粘土等からなる地盤の浄化にも適用することも可能である。
【００２８】
【発明の効果】
請求項１の発明に係る難透水性地盤の浄化方法によれば、通常は地下水流が極めて緩慢である難透水性地盤内に、電気浸透によって顕著な水流を強制的に惹起させ、これによって難透水性地盤の汚染領域に、給水用井戸から汚染物質分解剤又は汚染物質分解促進剤を含有させた水を供給するものであるため、地下水の汲み上げによる地下水流にのみ依存した汚染浄化が期待できない難透水性地盤の汚染浄化手段として有効であり、また、良質土との置換による浄化が困難な、深層の難透水性地盤の汚染浄化手段として有効である。
【００３１】
請求項２の発明に係る難透水性地盤の浄化方法によれば、汚染領域に設けた電極体と、その周囲を取り囲むように設けた電極体との間で、汚染物質分解剤又は汚染物質分解促進剤を含有させた水が電気浸透によって放射状に流れるので、効率良く汚染の浄化を行うことができる。
【００３２】
請求項３の発明に係る難透水性地盤の浄化方法によれば、処理水にＶＯＣ分解剤を用いるため、難透水性地盤の汚染領域を強制流動される過程で、還元的脱塩素反応によって、ＶＯＣを分解するため、トリクロロエチレン等に代表されるＶＯＣ汚染を有効に修復することができる。
【００３３】
請求項４の発明に係る難透水性地盤の浄化方法によれば、処理水に、ＶＯＣ分解微生物の活性や増殖を促すＶＯＣ分解促進剤を用いるため、微生物によるＶＯＣの分解能によって、トリクロロエチレン等に代表されるＶＯＣ汚染を有効に修復することができる。
【図面の簡単な説明】
【図１】  本発明に係る難透水性地盤の浄化方法の、好ましい実施の形態を示す地盤の鉛直断面図である。
【図２】  図１における給水用井戸及び鉄管と鉄棒の平面配置を示す図である。
【符号の説明】
５  給水用井戸
４  シール材
６  鉄管（第一の電極体）
８  鉄棒（第二の電極体）
Ａ  汚染領域
Ｇ１  易透水性地盤
Ｇ２  難透水性地盤
Ｖ  直流電源
Ｗ  処理水
【図１】
0004713777.tif 000002
【図２】
0004713777.tif 000003